【手続補正書】
【提出日】平成16年7月15日(2004.7.15)
【手続補正１】
【補正対象書類名】明細書
【補正対象項目名】発明の名称
【補正方法】変更
【補正の内容】
【発明の名称】デジタルデータ編集管理システム及び管理方法、サーバ、クライアント、デジタルデータ編集管理プログラム
【手続補正２】
【補正対象書類名】明細書
【補正対象項目名】特許請求の範囲
【補正方法】変更
【補正の内容】
【特許請求の範囲】
【請求項１】
サーバ上に格納されるデジタルデータをクライアントで編集するデジタルデータ編集管理システムであって、
前記サーバから、デジタルデータの編集許可が与えられた前記クライアントからの要求により、元となる前記デジタルデータを前記クライアントに送信し、
前記クライアントが元となるデジタルデータを編集することにより生成したデジタルデータを前記サーバに送信し、
前記サーバが編集後のデジタルデータを２次著作物として格納し、
前記サーバへ送信した編集後のデジタルデータを前記クライアントから自動的に消去することを特徴とするデジタルデータ編集管理システム。
【請求項２】
前記クライアントは、
前記サーバ上の元のデジタルデータを要求するデジタルデータ取得手段と、
取得した前記元のデジタルデータに対して編集を行なう編集手段と、
編集後のデジタルデータを前記サーバに送信するデジタルデータ登録手段と、
前記サーバに送信した時点で、前記編集後のデジタルデータを削除するデジタルデータ削除手段を備え、
前記サーバは、
元のデジタルデータを格納するデジタルデータ記憶部と、
前記デジタルデータ記憶部に格納されるデジタルデータについて著作権に関する情報を格納する著作権情報記憶部と、
前記クライアントから要求されたデジタルデータを前記デジタルデータ記憶部から読み出して前記クライアントに送信するデジタルデータ参照手段と、
前記クライアントから送信された前記編集後のデジタルデータを、前記デジタルデータ記憶部に格納するデジタルデータ格納手段と、
前記デジタルデータ記憶部に格納した前記編集後のデジタルデータについて、元のデジタルデータを編集して生成された２次著作物であることを示す著作権に関する情報を前記著作権情報記憶部に登録する著作権情報登録手段を備えることを特徴とする請求項１に記載のデジタルデータ編集管理システム。
【請求項３】
前記クライアントの前記デジタルデータ登録手段は、前記編集後のデジタルデータを前記サーバに送信すると共に、前記編集後のデジタルデータが元のデジタルデータを編集して生成された２次著作物であることを示す著作権に関する情報を前記サーバに送信することを特徴とする請求項２に記載のデジタルデータ編集管理システム。
【請求項４】
前記サーバは、
前記デジタルデータ記憶部に格納されているデジタルデータ毎に、編集許可を与えるかどうかを示す編集許可情報が格納する編集許可情報記憶部と、
前記クライアントのデジタルデータ取得手段より元のデジタルデータが要求された時、編集許可情報記憶部に管理されている編集許可情報に基づいて要求された元のデジタルデータに対する編集を許可するかどうかの判別を行う編集許可判別手段とをさらに備え、
前記元のデジタルデータに対する編集を許可すると判断した場合のみ、前記サーバのデジタルデータ参照手段によって元のデジタルデータを前記クライアントに送信することを特徴とする請求項２又は請求項３に記載のデジタルデータ編集管理システム。
【請求項５】
認証情報として、前記サーバの前記デジタルデータ記憶部に格納されているデジタルデータへの編集権限がある第三者であることを示す認証情報を格納する認証情報記憶部と、
認証要求があると認証情報記憶部の認証情報を元に認証の結果を返答する認証手段とを備える認証サーバを設け、
前記サーバは、前記クライアントのデジタルデータ取得手段より元のデジタルデータが要求された時に、前記認証サーバの認証手段に対してデジタルデータを要求した第三者の認証を求め、前記認証手段からの返答の結果により編集の許可を与えるかどうかの判別を行う編集許可判別手段を備え、
前記元のデジタルデータに対する編集を許可すると判断した場合のみ、前記サーバのデジタルデータ参照手段によって元のデジタルデータを前記クライアントに送信することを特徴とする請求項２又は請求項３に記載のデジタルデータ編集管理システム。
【請求項６】
サーバとクライアント上で実行され、前記サーバに格納されるデジタルデータを前記クライアントで編集するデジタルデータ編集管理プログラムであって、
前記サーバから、デジタルデータの編集許可が与えられた前記クライアントからの要求により、元となる前記デジタルデータを前記クライアントに送信する機能と、
前記クライアントで元となるデジタルデータを編集する機能と、
前記クライアントが元となるデジタルデータを編集することにより生成したデジタルデータを前記サーバに送信する機能と、
前記サーバが編集後のデジタルデータを２次著作物として格納する機能と、
前記サーバへ送信した編集後のデジタルデータを前記クライアントから自動的に消去する機能を実行することを特徴とするデジタルデータ編集管理プログラム。
【請求項７】
前記クライアントで、
前記サーバ上の元のデジタルデータを要求するデジタルデータ取得機能と、
取得した前記元のデジタルデータに対して編集を行なう編集機能と、
編集後のデジタルデータを前記サーバに送信するデジタルデータ登録機能と、
前記サーバに送信した時点で、前記編集後のデジタルデータを削除するデジタルデータ削除機能とを実行し、
前記サーバで、
前記クライアントから要求されたデジタルデータを元のデジタルデータを格納するデジタルデータ記憶部から読み出して前記クライアントに送信するデジタルデータ参照機能と、
前記クライアントから送信された前記編集後のデジタルデータを、前記デジタルデータ記憶部に格納するデジタルデータ格納機能と、
前記デジタルデータ記憶部に格納した前記編集後のデジタルデータについて、元のデジタルデータを編集して生成された２次著作物であることを示す著作権に関する情報を著作権情報記憶部に登録する著作権情報登録機能とを実行することを特徴とする請求項６に記載のデジタルデータ編集管理プログラム。
【請求項８】
前記クライアントの前記デジタルデータ登録機能は、前記編集後のデジタルデータを前記サーバに送信すると共に、前記編集後のデジタルデータが元のデジタルデータを編集して生成された２次著作物であることを示す著作権に関する情報を前記サーバに送信する機能を有することを特徴とする請求項７に記載のデジタルデータ編集管理プログラム。
【請求項９】
前記サーバで、前記クライアントのデジタルデータ取得機能より元のデジタルデータが要求された時、前記デジタルデータ記憶部に格納されているデジタルデータ毎に、編集許可を与えるかどうかを示す編集許可情報が格納する編集許可情報記憶部に管理されている編集許可情報に基づいて、要求された元のデジタルデータに対する編集を許可するかどうかの判別を行う編集許可判別機能を有し、
前記元のデジタルデータに対する編集を許可すると判断した場合のみ、前記サーバのデジタルデータ参照機能によって元のデジタルデータを前記クライアントに送信することを特徴とする請求項７又は請求項８に記載のデジタルデータ編集管理プログラム。
【請求項１０】
前記サーバで、前記クライアントのデジタルデータ取得機能より元のデジタルデータが要求された時に、認証サーバに対してデジタルデータへの編集権限がある第三者であるかどうかの認証を求め、前記認証サーバからの返答の結果により編集の許可を与えるかどうかの判別を行う編集許可判別機能を有し、
前記元のデジタルデータに対する編集を許可すると判断した場合のみ、前記サーバのデジタルデータ参照機能によって元のデジタルデータを前記クライアントに送信することを特徴とする請求項７又は請求項８に記載のデジタルデータ編集管理プログラム。
【請求項１１】
サーバに格納されるデジタルデータを前記クライアントで編集するデジタルデータ編集管理方法であって、
前記サーバから、デジタルデータの編集許可が与えられた前記クライアントからの要求により、元となる前記デジタルデータを前記クライアントに送信するステップと、
前記クライアントで元となるデジタルデータを編集するステップと、
前記クライアントが元となるデジタルデータを編集することにより生成したデジタルデータを前記サーバに送信するステップと、
前記サーバが編集後のデジタルデータを２次著作物として格納するステップと、
前記サーバへ送信した編集後のデジタルデータを前記クライアントから自動的に消去するステップを有することを特徴とするデジタルデータ編集管理方法。
【請求項１２】
前記クライアントで、
前記サーバ上の元のデジタルデータを要求するデジタルデータ取得ステップと、
取得した前記元のデジタルデータに対して編集を行なう編集ステップと、
編集後のデジタルデータを前記サーバに送信するデジタルデータ登録ステップと、
前記サーバに送信した時点で、前記編集後のデジタルデータを削除するデジタルデータ削除ステップを有し、
前記サーバで、
前記クライアントから要求されたデジタルデータを元のデジタルデータを格納するデジタルデータ記憶部から読み出して前記クライアントに送信するデジタルデータ参照ステップと、
前記クライアントから送信された前記編集後のデジタルデータを、前記デジタルデータ記憶部に格納するデジタルデータ格納ステップと、
前記デジタルデータ記憶部に格納した前記編集後のデジタルデータについて、元のデジタルデータを編集して生成された２次著作物であることを示す著作権に関する情報を著作権情報記憶部に登録する著作権情報登録ステップを有することを特徴とする請求項１１に記載のデジタルデータ編集管理方法。
【請求項１３】
前記クライアントの前記デジタルデータ登録ステップでは、前記編集後のデジタルデータを前記サーバに送信すると共に、前記編集後のデジタルデータが元のデジタルデータを編集して生成された２次著作物であることを示す著作権に関する情報を前記サーバに送信することを特徴とする請求項１２に記載のデジタルデータ編集管理方法。
【請求項１４】
前記サーバで、前記クライアントのデジタルデータ取得ステップより元のデジタルデータが要求された時、前記デジタルデータ記憶部に格納されているデジタルデータ毎に、編集許可を与えるかどうかを示す編集許可情報が格納する編集許可情報記憶部に管理されている編集許可情報に基づいて、要求された元のデジタルデータに対する編集を許可するかどうかの判別を行う編集許可判別ステップを有し、
前記元のデジタルデータに対する編集を許可すると判断した場合のみ、前記サーバのデジタルデータ参照ステップによって元のデジタルデータを前記クライアントに送信することを特徴とする請求項１２又は請求項１３に記載のデジタルデータ編集管理方法。
【請求項１５】
前記サーバで、前記クライアントのデジタルデータ取得ステップより元のデジタルデータが要求された時に、認証サーバに対してデジタルデータへの編集権限がある第三者であるかどうかの認証を求め、前記認証サーバからの返答の結果により編集の許可を与えるかどうかの判別を行う編集許可判別ステップを有し、
前記元のデジタルデータに対する編集を許可すると判断した場合のみ、前記サーバのデジタルデータ参照ステップによって元のデジタルデータを前記クライアントに送信することを特徴とする請求項１２又は請求項１３に記載のデジタルデータ編集管理方法。
【請求項１６】
サーバ上に格納されるデジタルデータをクライアントで編集するデジタルデータ編集管理システムを構成するサーバであって
デジタルデータの編集許可が与えられた前記クライアントからの要求により、元となる前記デジタルデータを前記クライアントに送信し、
前記クライアントから受信した元となるデジタルデータを編集した編集後のデジタルデータを受信し、
編集後のデジタルデータを２次著作物として格納することを特徴とするサーバ。
【請求項１７】
元のデジタルデータを格納するデジタルデータ格納部と、
前記デジタルデータ格納部に格納されるデジタルデータについて著作権に関する情報を格納する著作権情報記憶部と、
前記クライアントから要求されたデジタルデータを前記デジタルデータ格納部から読み出して前記クライアントに送信するデジタルデータ参照手段と、
前記クライアントから送信された前記編集後のデジタルデータを、前記デジタルデータ格納部に格納するデジタルデータ格納手段と、
前記デジタルデータ格納部に格納した前記編集後のデジタルデータについて、元のデジタルデータを編集して生成された２次著作部であることを示す著作権に関する情報を前記著作権情報記憶部に登録する著作権情報登録手段を備えることを特徴とする請求項１６に記載のサーバ。
【請求項１８】
デジタルデータ記憶部に格納されているデジタルデータ毎に、編集許可を与えるかどうかを示す編集許可情報が格納する編集許可情報記憶部と、
前記クライアントのデジタルデータ取得手段より元のデジタルデータが要求された時、編集許可情報記憶部に管理されている編集許可情報に基づいて要求された元のデジタルデータに対する編集を許可するかどうかの判別を行う編集許可判別手段とをさらに備え、
前記元のデジタルデータに対する編集を許可すると判断した場合のみ、前記サーバのデジタルデータ参照手段によって元のデジタルデータを前記クライアントに送信することを特徴とする請求項１７に記載のサーバ。
【請求項１９】
サーバ上に格納されるデジタルデータをクライアントで編集するデジタルデータ編集管理システムを構成するクライアントであって
前記サーバからデジタルデータの編集許可が与えられ、
前記サーバに対して元となる前記デジタルデータを要求することにより前記元となるデジタルデータを取得し、
元となるデジタルデータを編集することにより生成したデジタルデータを前記サーバに送信し、
前記サーバへ送信した編集後のデジタルデータを自動的に消去することを特徴とするクライアント。
【請求項２０】
前記サーバ上の元のデジタルデータを要求するデジタルデータ取得手段と、
取得した前記元のデジタルデータに対して編集を行なう編集手段と、
編集後のデジタルデータを前記サーバに送信するデジタルデータ登録手段と、
前記サーバに送信した時点で、前記編集後のデジタルデータを削除するデジタルデータ削除手段を備えることを請求項１９に記載の特徴とするクライアント。
【請求項２１】
前記デジタルデータ登録手段は、前記編集後のデジタルデータを前記サーバに送信すると共に、前記編集後のデジタルデータが元のデジタルデータを編集して生成された２次著作部であることを示す著作権に関する情報を前記サーバに送信することを特徴とする請求項２０に記載のクライアント。
【請求項２２】
サーバ上で実行され、前記サーバに格納されるデジタルデータを前記クライアントで編集するためのデジタルデータ編集管理プログラムであって、
デジタルデータの編集許可が与えられた前記クライアントからの要求により、元となる前記デジタルデータを前記クライアントに送信する機能と、
前記クライアントから受信した元となるデジタルデータを編集した編集後のデジタルデータを受信する機能と、
編集後のデジタルデータを２次著作物として格納する機能を実行することを特徴とするサーバのデジタルデータ編集管理プログラム。
【請求項２３】
前記クライアントから要求されたデジタルデータを元のデジタルデータを格納するデジタルデータ記憶部から読み出して前記クライアントに送信するデジタルデータ参照機能と、
前記クライアントから送信された前記編集後のデジタルデータを、前記デジタルデータ記憶部に格納するデジタルデータ格納機能と、
前記デジタルデータ記憶部に格納した前記編集後のデジタルデータについて、元のデジタルデータを編集して生成された２次著作物であることを示す著作権に関する情報を著作権情報記憶部に登録する著作権情報登録機能とを実行することを特徴とする請求項２２に記載のサーバのデジタルデータ編集管理プログラム。
【請求項２４】
前記クライアントより元のデジタルデータが要求された時、前記デジタルデータ記憶部に格納されているデジタルデータ毎に、編集許可を与えるかどうかを示す編集許可情報が格納する編集許可情報記憶部に管理されている編集許可情報に基づいて、要求された元のデジタルデータに対する編集を許可するかどうかの判別を行う編集許可判別機能を有し、
前記元のデジタルデータに対する編集を許可すると判断した場合のみ、前記サーバのデジタルデータ参照機能によって元のデジタルデータを前記クライアントに送信することを特徴とする請求項２３に記載のサーバのデジタルデータ編集管理プログラム。
【請求項２５】
前記サーバで、前記クライアントのデジタルデータ取得機能より元のデジタルデータが要求された時に、認証サーバに対してデジタルデータへの編集権限がある第三者であるかどうかの認証を求め、前記認証サーバからの返答の結果により編集の許可を与えるかどうかの判別を行う編集許可判別機能を有し、
前記元のデジタルデータに対する編集を許可すると判断した場合のみ、前記サーバのデジタルデータ参照機能によって元のデジタルデータを前記クライアントに送信することを特徴とする請求項２３に記載のサーバのデジタルデータ編集管理プログラム。
【請求項２６】
クライアント上で実行され、前記サーバに格納されるデジタルデータを前記クライアントで編集するデジタルデータ編集管理プログラムであって、
前記サーバからデジタルデータの編集許可が与えられ、
前記サーバに対して元となる前記デジタルデータを要求することにより前記元となるデジタルデータを取得する機能と、
元となるデジタルデータを編集することにより生成したデジタルデータを前記サーバに送信する機能と、
前記サーバへ送信した編集後のデジタルデータを自動的に消去する機能を実行することを特徴とするクライアントのデジタルデータ編集管理プログラム。
【請求項２７】
前記サーバ上の元のデジタルデータを要求するデジタルデータ取得機能と、
取得した前記元のデジタルデータに対して編集を行なう編集機能と、
編集後のデジタルデータを前記サーバに送信するデジタルデータ登録機能と、
前記サーバに送信した時点で、前記編集後のデジタルデータを削除するデジタルデータ削除機能とを実行することを特徴とする請求項２６に記載のクライアントのデジタルデータ編集管理プログラム。
【請求項２８】
前記クライアントの前記デジタルデータ登録機能は、前記編集後のデジタルデータを前記サーバに送信すると共に、前記編集後のデジタルデータが元のデジタルデータを編集して生成された２次著作物であることを示す著作権に関する情報を前記サーバに送信する機能を有することを特徴とする請求項２７に記載のクライアントのデジタルデータ編集管理プログラム。
【請求項２９】
サーバ上で実行され、前記サーバに格納されるデジタルデータを前記クライアントで編集するためのデジタルデータ編集管理プログラムをコンピュータで読み取り可能に格納する記憶媒体であって、
前記デジタル編集管理プログラムが、
デジタルデータの編集許可が与えられた前記クライアントからの要求により、元となる前記デジタルデータを前記クライアントに送信する機能と、
前記クライアントから受信した元となるデジタルデータを編集した編集後のデジタルデータを受信する機能と、
編集後のデジタルデータを２次著作物として格納する機能を実行することを特徴とするサーバのデジタルデータ編集管理プログラムを格納する記憶媒体。
【請求項３０】
前記デジタル編集管理プログラムが、
前記クライアントから要求されたデジタルデータを元のデジタルデータを格納するデジタルデータ記憶部から読み出して前記クライアントに送信するデジタルデータ参照機能と、
前記クライアントから送信された前記編集後のデジタルデータを、前記デジタルデータ記憶部に格納するデジタルデータ格納機能と、
前記デジタルデータ記憶部に格納した前記編集後のデジタルデータについて、元のデジタルデータを編集して生成された２次著作物であることを示す著作権に関する情報を著作権情報記憶部に登録する著作権情報登録機能とを実行することを特徴とする請求項２９に記載のサーバのデジタルデータ編集管理プログラムを格納する記憶媒体。
【請求項３１】
クライアント上で実行され、前記サーバに格納されるデジタルデータを前記クライアントで編集するデジタルデータ編集管理プログラムをコンピュータで読み取り可能に格納する記憶媒体であって、
前記デジタル編集管理プログラムが、
前記サーバからデジタルデータの編集許可が与えられ、
前記サーバに対して元となる前記デジタルデータを要求することにより前記元となるデジタルデータを取得する機能と、
元となるデジタルデータを編集することにより生成したデジタルデータを前記サーバに送信する機能と、
前記サーバへ送信した編集後のデジタルデータを自動的に消去する機能を実行することを特徴とするクライアントのデジタルデータ編集管理プログラムを格納する記憶媒体。
【請求項３２】
前記デジタル編集管理プログラムが、
前記サーバ上の元のデジタルデータを要求するデジタルデータ取得機能と、
取得した前記元のデジタルデータに対して編集を行なう編集機能と、
編集後のデジタルデータを前記サーバに送信するデジタルデータ登録機能と、
前記サーバに送信した時点で、前記編集後のデジタルデータを削除するデジタルデータ削除機能とを実行することを特徴とする請求項３１に記載のクライアントのデジタルデータ編集管理プログラムを格納する記憶媒体。